(57)【要約】【課題】音響部品の性能を低下させることなく、容易な構成で外装部材の組み立て性の向上を可能とする。【解決手段】音口が形成された音響部品と、前記音響部品の周囲を覆うように取り付けられた弾性部材と、前記弾性部材を保持する保持部材と、前記音響部品の音口と対向する開口部が形成され、前記保持部材に取り付けられる外装部材と、を有し、前記保持部材は、摺動面と前記摺動面の一端に前記摺動面よりも凹んだ凹部が形成され、前記外装部材は、前記保持部材に取り付けられる際、前記摺動面上を摺動した後、前記凹部に収納される突起部が形成され、前記外装部材は、前記突起部が前記摺動面上を摺動している間には前記弾性部材と接触せず、前記突起部が前記凹部に収納されることで前記弾性部材を押圧することを特徴とする。【選択図】図４
2013153268.tif 000002
【特許請求の範囲】
【請求項１】
音口が形成された音響部品と、
前記音響部品の周囲を覆うように取り付けられた弾性部材と、
前記弾性部材を保持する保持部材と、
前記音響部品の音口と対向する開口部が形成され、前記保持部材に取り付けられる外装部材と、を有し、
前記保持部材は、摺動面と前記摺動面の一端に前記摺動面よりも凹んだ凹部が形成され、
前記外装部材は、前記保持部材に取り付けられる際、前記摺動面上を摺動した後、前記凹部に収納される突起部が形成され、
前記外装部材は、前記突起部が前記摺動面上を摺動している間には前記弾性部材と接触せず、前記突起部が前記凹部に収納されることで前記弾性部材を押圧することを特徴とする電子機器。
【請求項２】
前記突起部は、前記摺動面を押圧しながら前記摺動面上を摺動していることを特徴とする請求項１に記載の電子機器。
【請求項３】
前記音響部品は、マイクロホンであることを特徴とする請求項１または２に記載の電子機器。
【請求項４】
前記音響部品は、スピーカであることを特徴とする請求項１または２に記載の電子機器。
【発明の詳細な説明】
【技術分野】
【０００１】
本発明は、例えばデジタルカメラ等の電子機器に関し、特に音響部品を備える電子機器に関する。
【背景技術】
【０００２】
デジタルカメラや携帯電話機器等の小型電子機器では、マイクロホンやスピーカといった音響部品は、音口が開口している弾性部材に覆われていることが多い。そして、弾性部材の開口部側を外装部材に押しつけて取り付けることにより、音口は密閉された状態で外装部材に設けられた穴より音の入力や出力をする。ここで、音口とはマイクロホンであれば集音部のことであり、スピーカであれば開口部のことを示している。上記構成によって、できる限り機器の外側に音響部品を配置することができるため、音の入出力の効率を良くしている。また、外装部材の開口部で発生する風切り音の発生を防ぎ、電子機器内部の駆動音を遮断することができるため、録音時や再生時に不要な雑音を記録したり、再生したりすることを防いでいる。
【０００３】
近年、電子機器の小型化が求められていることから外装部材の内部空間は最小限にする必要があり、外装部材を光軸方向に組み立てていく際に光軸に対して垂直方向に動かしながら組み立てることが困難になってきている。仮に弾性部材を摺りながら外装部材を組み立ててしまうと、弾性部材が意図しない変形をしたまま外装部材に押しつけられ音響部品の音口を覆ってしまう。そのため、音口の密閉性が損なわれてしまい、電子機器内部の駆動音等のノイズを遮断することができなくなってしまう。また、弾性部材は外観から見えないような構造にしていることが多いため、一度組み立ててしまうと、弾性部材が変形しているか確認するのは困難である。
【０００４】
そこで、特許文献１では、マイクを保持している弾性部材等で構成されているマイクユニットを弾性部材の押しつけ方向のみに力がかかるように外装部材に装着した後、マイクユニットを保持する当接部品を装着することで弾性部材の意図しない変形を防いでいる。
【先行技術文献】
【特許文献】
【０００５】
【特許文献１】特開２００１−８２８２号公報
【発明の概要】
【発明が解決しようとする課題】
【０００６】
特許文献１の構成では、マイクユニットを外装部材に装着した後、マイクユニットを保持する当接部品を取り付ける構成となっているため、マイクユニット周辺の構造が限定されてしまい、設計上の制約事項が多くなって構造を流用することが困難となってしまう。
【０００７】
そこで、本発明は、音響部品の性能を低下させることなく、容易な構成で外装部材の組み立て性の向上を可能とする電子機器を提供することを目的とする。
【課題を解決するための手段】
【０００８】
上記目的を達成するための本発明の一側面としての電子機器は、音口が形成された音響部品と、前記音響部品の周囲を覆うように取り付けられた弾性部材と、前記弾性部材を保持する保持部材と、前記音響部品の音口と対向する開口部が形成され、前記保持部材に取り付けられる外装部材と、を有し、前記保持部材は、摺動面と前記摺動面の一端に前記摺動面よりも凹んだ凹部が形成され、前記外装部材は、前記保持部材に取り付けられる際、前記摺動面上を摺動した後、前記凹部に収納される突起部が形成され、前記外装部材は、前記突起部が前記摺動面上を摺動している間には前記弾性部材と接触せず、前記突起部が前記凹部に収納されることで前記弾性部材を押圧することを特徴とする。
【発明の効果】
【０００９】
本発明の電子機器によれば、音響部品の性能を低下させることなく、容易な構成で外装部材の組み立て性の向上を可能とする。
【図面の簡単な説明】
【００１０】
【図１】本発明の電子機器の実施形態の一例であるデジタルカメラの外観斜視図である。
【図２】（ａ）はデジタルカメラの分解斜視図であり、（ｂ）はマイクユニット周辺の分解図である。
【図３】マイクユニットの断面図である。
【図４】（ａ）はリアカバーの組み立て前の概略図であり、（ｂ）はリアカバーの組み立て途中の概略図であり、（ｃ）はリアカバーの組み立て完了時の概略図である。
【発明を実施するための形態】
【００１１】
以下に、本発明の好ましい実施の形態を、添付の図面に基づいて詳細に説明する。
【００１２】
図１は、本発明の電子機器の実施形態の一例であるデジタルカメラ１を正面から見た外観斜視図である。
【００１３】
デジタルカメラ１の上面には電源ボタン２、レリーズボタン３およびズームレバー４が設けられており、正面にはレンズ鏡筒５とストロボ光源６が設けられている。
【００１４】
フロントカバー２１とリアカバー２２は、デジタルカメラ１の外装部材である。リアカバー２２には、マイク穴２３とスピーカ穴２４が形成されている。マイク穴２３は動画撮影時に外部の音声を集音するためにマイクユニットと対向する位置に備えられ、スピーカ穴２４は動画撮影したデータを再生した時や撮影時の確認音を出力する時に音を遮断しないようにスピーカと対向する位置に備えられている。
【００１５】
図２（ａ）は、図１に示すデジタルカメラ１を分解した状態を示す分解斜視図である。
【００１６】
内部メカユニット１０には、レンズ鏡筒５、ストロボ光源６、不図示の電池格納部および操作検出スイッチ等が形成されている。デジタルカメラ１では、内部メカユニット１０の前面（レンズ鏡筒５）側をフロントカバー２１、背面（不図示の液晶）側をリアカバー２２で覆っている。
【００１７】
マイクユニット７は、マイクロホン７１とマイクブッシュ７２で構成されている。ホルダ８は内部メカユニット１０の天面部に設けられた保持部材であり、レリーズボタン３とズームレバー４が備えられ、マイクユニット７とスピーカ９１が取り付けられている。マイクロホン７１とスピーカ９１が本発明の音響部品に相当する。
【００１８】
図２（ｂ）は、マイクユニット７周辺の分解図である。
【００１９】
フレキシブルプリント基板（以下、ＦＰＣという）１１上のはんだ部１１ａには、マイクロホン７１やスピーカ９１のケーブルが実装されており、また、レリーズボタン３やズームレバー４を動作させたときの検出部が設けられている。ＦＰＣ１１は、動画撮影時に音声から変換された電気信号を取り込み、また、動画再生時に音声に変換される電気信号を出力する。
【００２０】
シャーシ１２は、ステンレス鋼等の金属で形成された剛性が高い部品であり、周辺部品と強固に取り付けられている。ＦＰＣ１１は、シャーシ１２により図示しない位置決めピン等で保持されており、レリーズボタン３等の操作がされて押圧されてもシャーシ１２で受けているため変形することはない。また、シャーシ１２は、係合部８ｄ等と係合することでホルダ８も保持している。
【００２１】
マイクロホン７１は、音声の集音部である音口７１ａが天面側に向いて取り付けられており、弾性部材で一体に形成されているマイクブッシュ７２で覆われている。マイクロホン７１をマイクブッシュ７２で覆うことにより、振動による雑音の記録を防ぐことができる。本実施形態では、マイクブッシュ７２は、ゴム素材で構成されているが、十分な弾性を有する材料であればその限りではない。
【００２２】
マイクブッシュ７２には、マイクロホン７１の音口７１ａ側の一部に音口７１ａがむき出しになるように形成された開口部７２ａが設けられている。開口部７２ａは、マイクロホン７１の最外形よりも小さい寸法であるが、マイクブッシュ７２は弾性部材で構成されているため、開口部７２ａをマイクロホン７１の外形寸法よりも大きく広げることが可能であり、マイクロホン７１へ容易に取り付け可能である。また、マイクブッシュ７２の下部には、マイクロホン７１のケーブルが通る図示しない穴が設けられている。
【００２３】
ホルダ８は、ブッシュ固定軸８ａをマイクブッシュ７２に備えられている嵌合穴７２ｂに嵌合し、マイクロホン７１を保持している。また、ホルダ８の一部には、マイクユニット７を収納するマイク収納部８ｂが設けられている。マイク収納部８ｂの近傍には、リアカバー２２を内部メカユニット１０に組み込む際にリアカバー２２に備えられた摺動リブ（突起部）２２ａと対向する位置に備えられた摺動面８ｅが形成されている。摺動面８ｅの延長線上には、リアカバー２２の摺動リブ２２ａが格納されるリブ格納部（凹部）８ｆが備えられている。リブ格納部８ｆは摺動面８ｅより凹んだ形状に形成されている。
【００２４】
マイクユニット７がホルダ８に取り付けられた構成を図３のマイクユニット断面図を用いて説明する。ホルダ８は、ブッシュ固定軸８ａを嵌合穴７２ｂに圧入することでマイクロホン７１を保持している。このとき、ブッシュ固定軸８ａの径は嵌合穴７２ｂよりも大きい設定となっている。マイク収納部８ｂの内壁には、マイクブッシュ７２の外周の一部と当接する側壁８ｃが備えられており、マイクユニット７が所定の位置に保持される。
【００２５】
マイクブッシュ７２の開口部７２ａの周囲には、マイクブッシュ７２から突出したリブ７２ｃが設けられている。リアカバー２２はリブ７２ｃを押しつけた状態で取り付けられるので、リブ７２ｃは変形し、リブ７２ｃ全周がマイク穴２３を囲うようにリアカバー２２に密着する。マイクロホン７１とマイク穴２３の間をリブ７２ｃで密閉することにより、デジタルカメラ１内部の駆動音等を遮蔽してデジタルカメラ１の外部からの音を効率良く集音し、音声記録時に良好な音質で記録することが可能になる。
【００２６】
本実施形態では、密着性能を上げるためにリブ７２ｃを２重構造としているが、密着性を確保出来る形状であればこの形状に限らない。例えば、２重ではなく単一の囲み形状にして突状リブの幅を広くしてもよいし、３重構造やそれ以上にしてもよい。
【００２７】
内部メカユニット１０にリアカバー２２の組み立て方法に関して図４を用いて説明する。本実施形態では、フロントカバー２１とリアカバー２２を光軸方向に取り付けることで組み立てている。
【００２８】
図４（ａ）はリアカバー２２の組み立て前の概略図、（ｂ）はリアカバー２２の組み立て途中の概略図、（ｃ）はリアカバー２２の組み立て完了時の概略図であり、デジタルカメラ１の製品組み立て状態の構成となる。
【００２９】
図４（ａ）に示すように内部メカユニット１０にリアカバー２２を組み立てていく際は、図４（ａ）に示すＡ方向にリアカバー２２を装着していく。始めに、ホルダ８の摺動面８ｅと対向する位置に配設されリアカバー２２の一端に設けられた摺動リブ２２ａが摺動面８ｅに当接する。
【００３０】
リアカバー２２を組み立てていくと、図４（ｂ）に示すように、摺動リブ２２ａが摺動面８ｅの形状に沿って摺動する。このとき、摺動リブ２２ａの長さはリブ７２ｃの長さよりも長い構成となっているため、マイクユニット７がリアカバー２２と接触しない。すなわち、リアカバー２２の組み立て途中において、リブ７２ｃが変形することはない。
【００３１】
さらに、リアカバー２２をＡ方向に組み込んでいくと、摺動リブ２２ａは摺動面８ｅの端まで摺動した後、図４（ｃ）で示すように、ホルダ８の凹部であるリブ格納部８ｆに収納され、マイクユニット７がリアカバー２２と接触する。図４（ｃ）において、リブ７２ｃの斜線部は、リブ７２ｃがリアカバー２２の内壁面により押圧されてつぶされている状態を示している。
【００３２】
上述したように、音口７２ａの密閉を行っているリブ７２ｃは、摺動リブ２２ａが摺動面上を摺動し、リブ格納部８ｆに収納される直前までリアカバー２２と当接することはない。したがって、リアカバー２２は押圧方向にのみリブ７２ｃを変形させる。これにより、マイクユニット７の音口７２ａの密閉状態が保たれ、マイクロホン７１の集音性能を悪化させず、品質の高い音質で音声を記録することが可能となる。
【００３３】
また、外装部材であるリアカバー２２に摺動リブ２２ａを設け、マイクユニット７を保持するホルダ８に摺動面８ｅとリブ格納部８ｆを設けている。そのため、部品点数や集音性能を向上させるための構成部品を増やすことなく、また、特別な組み立て作業も行っておらず工数も増やす必要がないのでコスト低下に繋げることができる。
【００３４】
本実施形態では、マイクユニット７の近傍にリアカバー２２の摺動リブ２２ａを一つだけ設けているがこの限りではない。例えば、リアカバー２２に剛性が低い材料を使用する際はマイクユニット７を挟み込むように２か所配置しても良いし、リブの数をさらに複数個設けても良い。また、摺動リブ２２ａが当接する部品をホルダ８に設けているが、マイクユニット７の近傍に配置されている他の部品でもよい。
【００３５】
図４（ｃ）で示すように、摺動リブ２２ａの先端は、ホルダ８の最上面部である摺動面８ｅよりも図中下部に配置される構成となっている。そのため、図４（ｂ）のように、摺動リブ２２ａが摺動面８ｅに当接している状態ではリアカバー２２が変形している。そして、組み立てが完了し、摺動リブ２２ａが摺動面８ｅから離間することによってリアカバー２２の天面の変形はなくなる。
【００３６】
本実施形態では、組み立て時にマイクブッシュ７２との干渉を防ぐために、リアカバー２２の天面部を変形させる構成をしている。そのため、リアカバー２２は変形が容易な樹脂部品等を用いるのが良いが、この限りでなく、変形する範囲が大きく全体が撓むようであれば剛性の高い金属でも実施可能である。また、変形させる外装部材をリアカバー２２にしているが、フロントカバー１３のようにマイクロホンの音口を密閉しているマイクブッシュと当接している部品であればよい。
【００３７】
なお、本実施形態では、音響部品をマイクロホンとしてマイクロブッシュを変形させずに外装部材を組み立てる説明をしたが、マイクロホンに限らず、スピーカの共振防止等に設けられているクッションを変形させないために適用してもよい。
【００３８】
以上、本発明の好ましい実施形態について説明したが、本発明はこれらの実施形態に限定されず、その要旨の範囲内で種々の変形及び変更が可能である。
【符号の説明】
【００３９】
１      デジタルカメラ
８      ホルダ
８ｅ    摺動面
８ｆ    リブ格納部
２２    リアカバー
２２ａ  摺動リブ
７１    マイクロホン
７１ａ  音口
７２    マイクブッシュ
７２ａ  開口部
９１    スピーカ
【図１】
2013153268.tif 000003
【図２】
2013153268.tif 000004
【図３】
2013153268.tif 000005
【図４】
2013153268.tif 000006